(57)【要約】【課題】  新たな視覚的演出効果を発揮することのできる遊技機における演出用表示装置を提供する。【解決手段】  演出画像が表示される液晶画面を、２つの液晶ディスプレイ装置２１Ｒ、Ｌで分割し、各液晶ディスプレイ装置２１Ｒ、Ｌを独立して移動させる移動機構３を設ける。移動機構３は、リードスクリュー３３Ｌ、Ｒと、移動台３４Ｌ、Ｒと、ステッピングモータ３２Ｌ、Ｒを備え、ステッピングモータ３２Ｌ、Ｒの回転により、各液晶ディスプレイ装置２１Ｒ、Ｌの移動量を制御する。各液晶ディスプレイ装置２１Ｒ、Ｌを支持する移動台３４Ｌ、Ｒは、これに挿通する２本のリードスクリュー３３Ｌ、Ｒによって支持され、その内の１本のリードスクリュー３３Ｌ、Ｒによって往復駆動する。【選択図】図３
2006116233.tif 000002
【特許請求の範囲】
【請求項１】
遊技機の遊技状態を制御する遊技制御手段と、
前記遊技制御手段からの信号に応じて、画像情報を制御する画像制御手段と、
画像制御手段からの信号に応じた画像を表示する画像表示画面とを有する演出用表示装置であって、
前記画像表示画面は、相互に端部が突き合わされた２つの画面単体と、
隣接する前記各画面単体を移動可能に保持する移動手段とを有し、
前記移動手段は、各画面単体の移動方向をそれぞれ規制する２つのガイド手段と、
該ガイド手段に沿って移動可能に各設けられ、前記画面単体に接続される２つの移動単体と、
該各移動単体をそれぞれ移動させる移動駆動手段とを備え、
前記ガイド手段は平行に並設され、一方の画面単体のガイド手段は、他方の画面単体を支持する支持手段として機能することを特徴する遊技機における演出用表示装置。
【請求項２】
前記移動駆動手段は、各ガイド手段毎に設けられている請求項１に記載の遊技機における演出用表示装置。
【請求項３】
前記移動駆動手段は、前記各ガイド手段の同じ方向の端部に設けられている請求項２に記載の遊技機における演出用表示装置。
【請求項４】
ガイド手段は、回動自在に設けられたリードスクリューであり、
前記移動単体は、前記画面単体に固定され該リードスクリューに螺合されたナットであり、
移動駆動手段は、前記リードスクリューを回動駆動させる駆動モータである請求項１〜３のいずれか１に記載の遊技機における演出用表示装置。
【請求項５】
画面単体は、液晶ディスプレイである請求項１〜３のいずれか１に記載の遊技機における演出用表示装置。
【発明の詳細な説明】
【技術分野】
【０００１】
この発明は、たとえばパチンコ遊技機（以下、単に「パチンコ」と言う。）や回胴式遊技機（以下、単に「スロットマシン」と言う。）等の遊技機に係り、詳しくは、遊技状態に応じて特定の情報を表示する表示手段を有する遊技機に関するものである。
【背景技術】
【０００２】
従来、遊技機としてパチンコやスロットマシンが普及している。これらの遊技機においては、遊技の進行とともに、遊技に附帯して各種の演出をする演出装置が設けられている。
【０００３】
例えば、パチンコにおいては、液晶画面が設けられ、遊技球が特定の賞口に投入されると、液晶画面において、数種の演出画像が表示され、遊技者に対して遊技内容を演出する装置が設けられている。液晶画面には、複数の登場人物が登場する物語であったり、または複数の人間が戦う場面などの演出手法のほか、スロットマシンのように３つのリールが表示され、これらのリールが回転し役がそろうといった遊技の進行が表示されるなど、表示される画像の内容は任意に決定でき、多数種類の演出に利用できるといった点がある。
【０００４】
また、スロットマシンにおいても、ボーナス当選など遊技内容に応じて、液晶画面に表示される画像を変更し、遊技内容を任意の方法で演出することが行われている。
【０００５】
液晶画面による演出は、画面に表示する内容を任意に設定できるという点で、極めて有利であり、現在の多く遊技機において取り付けられている。
【０００６】
上記のように液晶画面を介して演出を行う装置には以下のようなものが挙げられる。
【特許文献１】特開２００４−２２９７３３号公報
【特許文献２】特開２００４−２２９７３８号公報
【発明の開示】
【発明が解決しようとする課題】
【０００７】
従来の液晶画面を用いた演出装置において、さらに演出効果を上げるために、例えば特許文献１に記載のように、画面に表示される画像パターンを変更し、或は、特許文献２に記載のように、画面自体をより大きくするなどの提案がなされている。
【０００８】
しかし、液晶画面による演出には、限界がある。例えば、液晶画面は遊技機に予め組み込まれて設定されているため、画像表示される領域は液晶画面が組み込まれている範囲に限られる。従って、遊技者は、液晶画面が組み込まれている領域内でのみ演出画像が表示されることを容易に予想できるので、演出に対して遊技者が注意を向けるのは、画面の範囲内に限られ、画像や画像に伴う効果音などにより演出効果を上げる以外に方法がなく、遊技者の予想を超えた意外性により演出効果をさらに発揮することは難しい。
【０００９】
このように表示画面を用いた演出装置において、遊技の演出効果をより一層向上させるための新たな装置の提案が望まれている。
【００１０】
この発明の目的は、新たな視覚的演出効果を発揮することのできる遊技機における演出用表示装置を提供することにある。
【課題を解決するための手段】
【００１１】
以上のような問題を解決する本発明は、以下のような構成を有する。  
（１）  遊技機の遊技状態を制御する遊技制御手段と、
前記遊技制御手段からの信号に応じて、画像情報を制御する画像制御手段と、
画像制御手段からの信号に応じた画像を表示する画像表示画面とを有する演出用表示装置であって、
前記画像表示画面は、相互に端部が突き合わされた２つの画面単体と、
隣接する前記各画面単体を移動可能に保持する移動手段とを有し、
前記移動手段は、各画面単体の移動方向をそれぞれ規制する２つのガイド手段と、
該ガイド手段に沿って移動可能に各設けられ、前記画面単体に接続される２つの移動単体と、
該各移動単体をそれぞれ移動させる移動駆動手段とを備え、
前記ガイド手段は平行に並設され、一方の画面単体のガイド手段は、他方の画面単体を支持する支持手段として機能することを特徴する遊技機における演出用表示装置。
【００１２】
（２）  前記移動駆動手段は、各ガイド手段毎に設けられている上記（１）に記載の遊技機における演出用表示装置。
【００１３】
（３）  前記移動駆動手段は、前記各ガイド手段の同じ方向の端部に設けられている上記（２）に記載の遊技機における演出用表示装置。
【００１４】
（４）  ガイド手段は、回動自在に設けられたリードスクリューであり、
前記移動単体は、前記画面単体に固定され該リードスクリューに螺合されたナットであり、
移動駆動手段は、前記リードスクリューを回動駆動させる駆動モータである上記（１）〜（３）のいずれか１に記載の遊技機における演出用表示装置。
【００１５】
（５）  画面単体は、液晶ディスプレイである上記（１）〜（４）のいずれか１に記載の遊技機における演出用表示装置。
【発明の効果】
【００１６】
請求項１に記載の発明によると、遊技状態に応じて画像が生成され、生成された画像が画像表示画面に表示される。この画像表示画面は、２つの画面単体に分割されており、移動手段によって、この画面単体が移動することで、画像表示画面が設置されている範囲外に画面が移動することとなり、演出効果が向上する。また、移動方向により、各画面単体が別れて移動することとなり、さらに以外性が増して、演出効果が向上する。
【００１７】
２つの画面単体の移動手段は、それぞれのガイド手段が互いに平行な状態で並設されているので、ガイド手段の配置スペースを小型化でき、遊技機内での移動手段の配置スペースを確保することが容易となる。  
また、一方のガイド手段が他方の画面単体を支持する支持部材としての作用を発揮するので、他の支持構造を設けることなく、簡易な構成により画面単体を支持する構成を得ることができ、移動手段の小型化を図ることができる。
【００１８】
請求項２に記載の発明によると、移動駆動手段が各ガイド手段毎に設けられているので、各画面単体の動きを容易に制御できる。  
請求項３に記載の発明によると、移動駆動手段を同じ側に設けることで、対となっている移動駆動手段の組み付け作用を簡易にすることができる。また、例えば、移動駆動手段と遊技機との配線接続位置をまとめることが容易となるので、本発明の演出用表示装置の遊技機への組み付けが容易となる。
【００１９】
請求項４に記載の発明によると、リードスクリューと、リードスクリューの螺旋に係合するナットを備えており、リードスクリューは、モータにより回動するため、リードスクリューの回転量を制御することで、画像単体の移動位置を正確に制御することができる。
【００２０】
請求項５に記載の発明によると、画面単体を液晶ディスプレイとすれば、ディスプレイ装置が板状であるために、演出装置全体を平たく構成することが可能となり、遊技機筐体内に装填することが容易となる。また、液晶ディスプレイを用いることによって、相互に付き合わされる端部の枠体を幅狭に構成とすることが可能となる。このため、画面単体を突き合わせて１つの表示画面を構成した場合に、画面単体の間の突合せ部分を目立たない構成とすることが可能となり、２つの液晶ディスプレイで構成された１つの画面に表示される画像を、遊技者は、違和感なく観賞することができる。
【発明を実施するための最良の形態】
【００２１】
以下、本発明の実施形態として、遊技機における演出用表示装置をスロットマシンに用いた場合について、図１乃至図３を参照して説明する。なお、図１は本スロットマシン１００の外部構造を示した正面図、図２は本スロットマシン１００の内部構造を示した全体斜視図である。
【００２２】
図１において、本スロットマシン１００は、遊技者に面するフロントドア１０１と、フロントドア１０１が開閉可能に取り付けられた後述の筐体１０２とを備えて構成されている。フロントドア１０１は、上部パネル部１０３と中部パネル１０４と下部パネル部１０５とを備え、全体的に金属製のフレーム（図示略）と硬質プラスチックで成形された前面パネルとで形成されることによって、機械的に強固な構造を有している。
【００２３】
上部パネル部は１０３には、上部ランプと呼ばれる演出用ランプ１０３ａと、スピーカが取り付けられた放音部１０３ｂ、１０３ｃと、液晶ディスプレイ等で形成された画像表示装置としての演出用表示装置１０３ｄが設けられている。
【００２４】
中部パネル部１０４には、複数個（本実施形態では３個）の回胴リールＲ１，Ｒ２，Ｒ３を備えた回胴リール装置２００が設けられる。なお、回胴リールＲ１，Ｒ２，Ｒ３の前面には、透明な硬質プラスチック板で形成された略長方形の透過窓ＷＤが設けられ、これによって回胴リール装置２００を外部から保護すると共に、遊技者が透過窓ＷＤを介して回胴リールＲ１，Ｒ２，Ｒ３を見ることが可能となっている。
【００２５】
更に、中部パネル部１０４の下端には遊技者が操作するための操作部１０４ｃが設けられ、当該操作部１０４ｃには、遊技メダルを投入するためのメダル投入部ＭＤと、１ゲーム当たりのメダル数を提示するためのベッドボタンＢ１，マックスベッドボタンＢ２と、１ゲームの開始を指示するためのスタートレバーＳＴと、回転中の回胴リールＲ１，Ｒ２，Ｒ３を個別に停止させるための３個のストップボタンＳＰ１，ＳＰ２，ＳＰ３が設けられている。ベッドボタンＢ１、スタートレバーＳＴ、マックスベッドボタンＢ２、ストップボタンＳＰ１，ＳＰ２，ＳＰ３によって、遊技操作入力手段が構成される。
【００２６】
メダルの貯留には、貯留可能な上限の枚数が決められており、この実施形態では、５０枚に決められている。この枚数を越えてメダル投入部ＭＤから投入されたメダルは、後述の排出口１０５ａから返却される。  
下部パネル部１０５には、本スロットマシン１００のゲーム内容に関連した画象等（図示略）が描かれており、遊技者の取得したメダルを払い出すための排出口１０５ａ及び受皿１０５ｂと、スピーカが取り付けられた放音部１０５ｃが設けられている。
【００２７】
次に、図２を参照して、フロントドア１０１の裏面構造と、筐体１０２の内部構造を概説する。なお、図２はフロントドア１０１を開錠して筐体１０２から開いた状態を表している。同図において、フロントドア１０１の裏面上部に、上述の放音部１０３ｂ，１０３ｃを構成するスピーカＳＲ，ＳＬ（図示しない）が設けられると共に、スピーカＳＲ，ＳＬの間には、演出用表示装置１０３ｄが取り付けられている。
【００２８】
演出用表示装置１０３ｄの下方には、上述の透過窓ＷＤと中部パネル部１０４のパネル面とが形成された略長方形の枠体１０４ｄが取り付けられている。枠体１０４ｄと演出用表示装置１０３ｄとの間には、サブ制御基板３００が配置されている。
【００２９】
枠体１０４ｄの下方には、メダル投入部ＭＤより投入される投入物を正規の遊技メダルか異物か判別して振り分ける振分機構Ｇ０で振分けられた遊技メダルを筐体１０２側に設けられているホッパ装置ＨＰへ案内するガイド部材ＧＩと、振分機構Ｇ０で振分けられた異物を排出口１０５ａへ案内して排出するガイド部材Ｇ２と、ホッパ装置ＨＰから出力される払い出し用のメダルを排出口１０５ａへ案内して出力するガイド部材Ｇ３が設けられ、更に排出口１０５ａの近傍に、スピーカＳＷが放音部１０５ｃに対応させて取り付けられている。
【００３０】
更に、上述の枠体１０４ｄと振分機構Ｇ０との間の領域に長尺状の中央表示基板４００が取り付けられ、当該中央表示基板４００の裏面側の一端に、設定ボタンＣＳと、数字の０から６までのセグメント表示を行う発光ダイオードで形成された設定表示素子ＣＴが設けられている。
【００３１】
筐体１０２内には、主電源装置ＰＷＵと、ホッパ装置ＨＰから溢れた遊技メダルを収容するための補助貯留部ＳＨＰと、状述の透過窓ＷＤに対向する回胴リールＲ１，Ｒ２，Ｒ３を備えた回胴リール装置２００の上端に回胴装置基板６００、回胴リール装置２００の上方に主制御基板７００、筐体１０２の内壁の一端に外部集中端子装置としての外部集中基板８００が夫々取り付けられている。
【００３２】
上述の主制御基板７００と、サブ制御基板３００、回胴装置基板６００、中央表示基板４００、電源装置基板５００及び外部集中端子基板８００は、何れも導電性配線パターンの形成された絶緑性樹脂基板上に集積回路装置（ＩＣ）やトランジスタ、抵抗、コンデンサ等の電子部品が搭載されて配線接続されたいわゆる電気回路基板として形成され、特に、主制御基板７００とサブ制御基板３００と外部集中端子基板８００は、夫々硬質プラスチックの収納ケース内に個別に収納されたユニット構造となっている。
【００３３】
主制御基板７００は、各信号の入出力を総括し、モニタを有しているものである。また、サブ制御基板３００は、演出用の画像、投射する視覚情報としての画像や文字、ランプ、蛍光灯、及び効果音を制御し、スピーカから出力する効果音の音量を切り換えるための音量スイッチを有している。
【００３４】
次に、演出用表示装置１０３ｄの構成について説明する。図３は、演出用表示装置１０３ｄの構成を示す分解斜視図である。また、図４は、演出用表示装置１０３ｄの全体斜視図である。  
演出用表示装置１０３ｄは、画像単体である液晶ディスプレイ２１Ｒ、２１Ｌからなる前面表示部２０と、各液晶ディスプレイ２１Ｒ、２１Ｌを、それぞれ移動させる移動手段としての移動機構３を備えている。
【００３５】
移動機構３は、図２に示されているように、フロントドア１０１の裏面に取り付けられている。移動機構３は、矩形板状の基材３１と、基材３１の両端に固定された支持材３１１、３１２とからなる支持部材３０と、支持部材３０の支持材３１１、３１２の間に回動自在に支持された２つのリードスクリュー３３Ｌ、３３Ｒと、リードスクリュー３３Ｌ、３３Ｒの一端に接続されたステッピングモータ３２Ｌ、３２Ｒと、リードスクリュー３３Ｌ、３３Ｒに螺合するナットを供えた移動台３４Ｌ、３４Ｒとを備えている。
【００３６】
支持部材３０は、直接又は間接的にフロントドア１０１の裏面に固定されており、支持材３１１、３１２は、相互に平行となるように、基材３１に固定されている。２本のリードスクリュー３３Ｌ、３３Ｒは、両端が支持材３１１、３１２に回動自在に支持されている。２つのリードスクリュー３３Ｌ、３３Ｒは、相互に平行となるように支持され、かつ表示画面２１０Ｌ、２１０Ｒの表面に略平行な面内に位置する様に配置されている。リードスクリュー３３Ｌ、３３Ｒの配置スペースを、表示画面の奥行き方向に小さくすることができ、配置スペースの小さな遊技機内においても、本発明である演出表示装置を装着することが容易となる。
【００３７】
一方の支持材３１２には、リードスクリュー３３Ｌ、３３Ｒの反対側の側面に、ステッピングモータ３２Ｌ、３２Ｒが固定されている。そして、各ステッピングモータ３２Ｌ、３２Ｒの駆動軸は、支持材３１２を貫通し、リードスクリュー３３Ｌ、３３Ｒの一端にそれぞれ接続され、各ステッピングモータ３２Ｌ、３２Ｒの駆動軸と各リードスクリュー３３Ｌ、３３Ｒが、別個に一体回動する構成となっている。
【００３８】
また、リードスクリュー３３Ｌ、は、２つの移動台３４Ｌ、３４Ｒにそれぞれ形成されている挿通孔３４１Ｌ、３４１Ｒに同時に挿通し、リードスクリュー３３Ｒは、２つの移動台３４Ｌ、３４Ｒにそれぞれ形成されている挿通孔３４２Ｌ、３４２Ｒに同時に挿通している。各リードスクリュー３３Ｌ、３３Ｒは、各挿通孔３４１Ｌ、３４１Ｒ、３４２Ｌ、３４２Ｒに対して、摺動自在に挿通しており、２つのリードスクリュー３３Ｌ、３３Ｒによって、各移動台３４Ｌ、３４Ｒが支持される構成となっている。各リードスクリュー３３Ｌ、３３Ｒの外周面には、螺旋状に溝３３０が形成されており、移動台３４Ｌ、３４Ｒには、それぞれ一方のリードスクリュー３３Ｌ、３３Ｒに嵌り込むナット構造が設けられている。  
例えば、移動台３４Ｒには、リードスクリュー３３Ｒの表面が露出する孔３４５Ｒが形成されている。この孔３４５Ｒには、リードスクリュー３３Ｒの溝３３０に先端が摺動自在に挿入されるピン３４４を備えたナット部材３４３Ｒが装着される。
【００３９】
ナット部材３４３Ｒが、孔３４Ｒに装着されるとピン３４４の先端が溝３３０内に挿入された状態となり、リードスクリュー３３Ｒが回動すると、溝３３０によって、ピン３４４が、リードスクリュー３３Ｒの軸方向に移動する構成となっている。このとき、他方のリードスクリュー３３Ｌに対しては、ピンが挿入されていないので、移動台３４Ｒは自由に移動でき、リードスクリュー３３Ｌは、単に移動台３４Ｒの姿勢を支持する作用を有する。
【００４０】
他方の移動台３４Ｌも、同様の構成を備えている。移動台３４Ｌには、リードスクリュー３３Ｌの溝３３０に挿入されるピンを備えたナット部材３４３Ｌが装着される。そして、移動台３４Ｌは、リードスクリュー３３Ｌの回動に基づいて、その軸方向に移動する。
【００４１】
移動台３４Ｌ、３４Ｒには、液晶ディスプレイ装置２１Ｒ、２１Ｌが固定される。液晶ディスプレイ装置２１Ｒ、２１Ｌの下側には、それぞれ接続部２１２Ｌ、２１２Ｒが突出して設けられ、この接続部２１２Ｌ、２１２Ｒは、移動台３４Ｌ、３４Ｒにそれぞれ固定される。これにより、移動台３４Ｌ、３４Ｒと一体として、液晶ディスプレイ装置２１Ｌ、２１Ｒが、それぞれ移動する構成となる。
【００４２】
液晶ディスプレイ装置２１Ｌ、２１Ｒは、正面側に液晶画面２１０Ｌ、２１０Ｒを有している。液晶画面２１０Ｌ、２１０Ｒは、互いに対向する端辺の枠部分２１３Ｌ、２１３Ｒが他の部分よりも細く形成されている。つまり、左側の液晶ディスプレイ装置２１Ｌでは、右端辺の枠部分２１３Ｌが、右側の液晶ディスプレイ装置２１Ｒでは、左端辺の枠部分２１３Ｒが、それぞれ他の部分より細く形成されている。液晶画面２１０Ｌ、２１０Ｒをこのような構成とすることによって、各枠部分２１３Ｌ、２１３Ｒを突き合わせて、液晶画面２１０Ｌと、液晶画面２１０Ｒとを合成した画面に、１つの画像を表示した際に、突き合せ部分を目立たないように構成することができる。  
以上のような機構において、液晶ディスプレイ装置２１Ｒ、２１Ｌは、左右に移動可能となり、前面表示部２０は、図４に示されているように、画面２１０Ｌ、２１０Ｒが左右に分かれた状態と、中央で接触し１つの画面を構成した状態とに変更可能に構成される。
【００４３】
以上のような移動機構３の構成によって、液晶ディスプレイ装置２１Ｒは、移動範囲ＷＬ内で、液晶ディスプレイ装置２１Ｌは、移動範囲ＷＲ内で移動可能に構成され、それぞれの移動範囲内で、独自の位置に移動することができる。図４に示されている範囲は、液晶ディスプレイ装置２１Ｒ、２１Ｌの中央点Ｍの移動範囲を示すものである。図４において、想像線で示す位置が、液晶ディスプレイ装置２１Ｒ、２１Ｌが最も外側に位置した際の位置を示すものである。
【００４４】
例えば、液晶ディスプレイ装置２１Ｒ、２１Ｌを突き合わせて、１つの画面を構成した状態で、左右に移動させる、或は、相互に接触しない範囲で、任意の位置にそれぞれの液晶ディスプレイ装置２１Ｒ、２１Ｌを移動させることが可能となる。
【００４５】
以上のような構成において、リードスクリュー３３Ｌ、３３Ｒによって、ガイド手段が構成される。移動台３４Ｌ、３４Ｒによって移動単体が構成される。ステッピングモータ３２Ｌ、３２Ｒによって移動駆動手段が構成される。  
上記構成では、２つのステッピングモータ３２Ｌ、３２Ｒは、リードスクリュー３３Ｌ、３３Ｒの一方の端に設けられているので、複数の配線をまとめて束にすることができ、配線の引き回しを簡易にすることができる。
【００４６】
上記構成の他、ステッピングモータ３２Ｌ、３２Ｒの一方を、反対側の端に設けてもよい。また、リードスクリュー３３Ｌ、３３Ｒの間に歯車による動力伝達する機構を設け、他方のリードスクリューを回転させることにより、他方のリードスクリューが同時に回転する機構としてもよい。この場合には、ステッピングモータを１つ省略することができ、液晶ディスプレイ装置２１Ｒ、２１Ｌを開閉動作する動作制御のみが可能となる。
【００４７】
他の移動機構の構成として、他のアクチュエータを用いて液晶ディスプレイ装置２１Ｒ、２１Ｌを移動させる構成を設けてもよい。例えば、リニアモータにより直接移動させる構成や、ラックとこれに歯合するピニオンとにより、ピニオンの回転で移動させる構成、或は、シンリダーとピストンを設け、油圧又は空気圧等により、移動させる構成などが挙げられる。
【００４８】
本実施形態の場合には、２つのリードスクリューによって、移動台の支持構造と、往復駆動させる構造とを兼用させることが容易である点で有利である。
【００４９】
図５は本スロットマシン１０に設けられている制御システムの構成を示したブロック図である。主基板７００は、スロットマシン１００の動作全体を管理するシステムプログラム及びスロットマシンゲーム用の実行プログラムが予め記憶されている半導体メモリ等で形成された記憶部と、これらのプログラムを実行するマイクロプロセッサ（ＭＰＵ）とを有し、上述のマイクロプロセッサに設けられている入力ポート及び出力ポートと残余の基板３００，６００，４００，５００，８００との間が配線ケーブル（ハーネス）によって配線接続されている。このマイクロプロセッサＭＰＵにより遊技の進行又は状態を制御する遊技制御手段が構成される。
【００５０】
更に又、演出用スピーカＳＲ，ＳＷと演出用ランプ１０３ａと演出表示装置１０３ｄが配線ケーブルを介してサブ基盤３００に配線接続され、主基板７００中の上記マイクロプロセッサから供給される演出制御信号に従って、サブ基板３００に設けられている電気回路がこれら演出用スピーカＳＲ，ＳＷと演出用ランプ１０３ａと演出表示装置１０３ｄを駆動することにより、遊技者の視覚と聴覚に訴える演出を行う。この演出制御信号には、演出画像を表示する画像信号や、画面を分割し、又は結合するタイミングを指令するタイミング信号や、移動機構３のモータ３２Ｌ、３２Ｒの回転量を制御する駆動制御信号等が含まれる。
【００５１】
また、回胴装置基板６００は、図柄を回転させるための装置である各回胴を回転または停止させるために、主制御基板７００と各回胴の回胴ステッピングモータ、及び回転中の回胴の基準位置を検知するための回胴センサとの間を中継していると共に、主制御基板７００と外部集中端子基板８００との間を中継しているものである。したがって、この回胴装置基板６００には、電動モータによって回転駆動される回胴リールＲ１，Ｒ２，Ｒ３を備えた回胴リール装置２００が配線接続されており、主基板７００中の上記マイクロプロセッサから供給されるリール制御信号によって、上述の電動モータを制御することにより、回胴リールＲ１，Ｒ２，Ｒ３の回転と制動及び停止の制御を行う。
【００５２】
この中央表示基板４００には、振分機構Ｇ０、ベットボタンＢ１，マックスベッドボタンＢ２，スターレバーＳＴ，ストップボタンＳＰ１，ＳＰ２，ＳＰ３、設定表示素子ＣＴ、及び設定ボタンＣＳが配線接続されており、振分機構Ｇ０から出力されるＣＴ、及び設定ボタンＣＳが配線接続されており、振分機構Ｇ０から出力されるメダル検出信号と、ベットボタンＢ１，マックスベッドボタンＢ２，とスタートレバーＳＴ及びストップボタンＳＰ１，ＳＰ２，ＳＰ３から夫々出力されるオンオフ信号を主基板７００中の上記マイクロプロセッサへ転送すると共に、マイクロプロセッサから供給されるセグメント表示信号に基づいて、設定表示素子ＣＴに０から６までの数字を表示させる。
【００５３】
電源装置基板５００は、各部へ電源を供給すると共に、主制御基板７００とメダル払出装置、電源モニタ基板、電源スイッチ、及び遊技メダル補助収納庫満杯検知電極との間を中継するものである。このメダル払出装置は、入賞、メダル貯留装置の精算、または投入された遊技メダルの払い戻しにより遊技メダルを排出するためのものである。なお、払い戻しにより払い出された遊技メダルは払出センサにより検知される。また、電源モニタ基板は、自動精算スイッチ、打ち止めスイッチ、各ヒューズを有すると共に、電源装置基板５００と設定キースイッチ、及びリセットボタンとの間を中継しているものである。
【００５４】
この電源装置基板５００には、設定スイッチＢＯ、電源スイッチＢＱ、ホッパ装置ＨＰ，電源装置ＰＷＵが配線接続され、設定スイッチＢＯと電源スイッチＢＱから夫々出力されるオンオフ信号を主基板７００中の上記マイクロプロセッサへ転送する。更に、電源装置基板５００には、電源装置ＰＷＵで発生される各種電源電圧をホッパ装置ＨＰその他各所に配電する配電回路が形成されており、かかる配線回路からスロットマシン１００の動作に必要な電源供給が行われている。
【００５５】
外部集中端子基板８００は、主基板７００中に上記マイクロプロセッサから出力される信号を並列入力することが可能な複数個の入力端子と、該当信号を管理用電子装置としてのホールコンピュータ側へ並列転送することが可能な複数個の出力端子とを備える他、ホールコンピュータ側から供給される信号を入力する入力端子及び上記マイクロプロセッサへ転送する出力端子を備えて構成されている。
【００５６】
次に演出表示装置１０３ｄの制御回路について、図６に示されているブロック図に基づいて説明する。演出表示装置１０３ｄの制御回路は、移動制御部４１と、画像制御部４２とを有し、それぞれマイクロプロセッサ（ＣＰＵ）等により構成されている。移動制御部４１は、ザブ制御基板３００から供給されるタイミング信号や駆動制御信号等に基づき、各ステッピングモータ３２Ｌ、３２Ｒの駆動タイミングや駆動量を制御し、これにより液晶ディスプレイ２１Ｒ、２１Ｌの移動距離や移動タイミングが制御される。
【００５７】
画像制御部４２は、ザブ制御基板３００から供給される画像信号に基づき、各液晶ディスプレイ２１Ｒ、２１Ｌへ画像信号を供給する。また、画像制御部４２は、移動制御部４１に供給されるタイミング信号と同じ信号の供給を受け、例えば、液晶ディスプレイ２１Ｒ、２１Ｌを左右に分割させる動作を開始すると同時に、各液晶ディスプレイ２１Ｒ、２１Ｌに供給する画像を、分割状態での画像に変更する。また、逆に、液晶ディスプレイ２１Ｒ、２１Ｌを合体させる旨の信号が入力された場合に、2つの液晶ディスプレイ２１Ｒ、２１Ｌを合成して形成されるディスプレイ画面を1つの画面とする画像を供給する。このように、供給する画像を合成や分離を制御する。液晶ディスプレイ２１Ｒ、２１Ｌに表示される画像データは、ザブ制御基板３００から供給される。この画像データは、ザブ制御基板３００に予め蓄積されており、このサブ制御基板３００により画像制御手段が構成される。或は、画像データは、主制御基板７００に蓄積されていてもよい。サブ制御基板３００は、主制御基板７００からの制御信号に応じて、図６に示されている制御回路に制御信号を供給する。
【００５８】
以上のように、液晶ディスプレイ２１Ｒ、２１Ｌ自体が移動可能な構成とすることにより、表示されている画像に対して、表示ディスプレイ自体が２つに割れるという構成を加えることで、意外性のある、新しい演出効果を加えることができる。また、画像として表示される内容と、ディスプレイの左右方向の動き（開閉移動）とを合わせることにより、相乗効果を得て、一層演出効果を向上させることができる。
【００５９】
なお、上記説明した構成は、液晶ディスプレイ２１Ｒ、２１Ｌが左右に配置され、これらが左右方向に移動することで、画面が左右に分割される構成であるが、この他、２つの液晶ディスプレイを上下に配置し、画面が上下に分割される構成とすることもできる。
【００６０】
また、このような演出用表示装置は、スロットマシンの上部に限らず、下部や、回胴リールの近傍に設けられていてもよい。  
以上の本実施形態においては、遊技機がスロットマシンの場合について説明したが、本発明の演出用表示装置は、パチンコやその他の遊技機に用いることもできる。
【図面の簡単な説明】
【００６１】
【図１】本スロットマシンの外部構造を示した全体正面図である。
【図２】本スロットマシンの内部構造を示した全体正面図である。
【図３】演出用表示装置の構成を示す分解斜視図である。
【図４】演出用表示装置の全体斜視図である。
【図５】本スロットマシンに設けられている制御システムの構成を示したブロック図である。
【図６】演出表示装置の制御回路の構成を示すブロック図である。
【符号の説明】
【００６２】
１００  スロットマシン
１０３ｄ  演出用表示装置
２０  前面表示部
２１Ｒ、Ｌ  液晶ディスプレイ
３  移動機構
３２Ｒ、Ｌ  ステッピングモータ
３３Ｒ、Ｌ  リードスクリュー
３４Ｒ、Ｌ  移動台
【図１】
2006116233.tif 000003
【図２】
2006116233.tif 000004
【図３】
2006116233.tif 000005
【図４】
2006116233.tif 000006
【図５】
2006116233.tif 000007
【図６】
2006116233.tif 000008